(57)【要約】【課題】  安価な構成でありながら、使用者に飽きを感じさせないように、種々のバリエーションで光の演出をすることが可能な照明装置を提供すること。【解決手段】  着色溶媒５を交換可能に収容する収容部１と、着色溶媒５を照射する照射手段２と、照射手段２を制御する制御手段３と、照射手段２と制御手段３とを格納し、その上に収容部１を着脱可能に載置するベース部４とを備え、収容部１の天井下面に照射手段２が発する光を反射させる反射手段７が設けてあり、制御手段３は照射手段２の照射パターンを決定する少なくとも１つの制御プログラムを有する照明装置。【選択図】  図１
2006093013.tif 000002
【特許請求の範囲】
【請求項１】
着色溶媒を交換可能に収容する収容部と、
前記着色溶媒を照射する照射手段と、
前記照射手段を制御する制御手段と、
前記照射手段と前記制御手段とを格納し、その上に前記収容部を着脱可能に載置するベース部とを備え、
前記収容部の天井下面に前記照射手段が発する光を反射させる反射手段が設けてあり、
前記制御手段は前記照射手段の照射パターンを決定する少なくとも１つの制御プログラムを有する照明装置。
【請求項２】
周囲の明るさを検知して前記制御手段に明度信号を送信する光センサ手段を備え、前記制御手段は、前記光センサ手段からの前記明度信号に応じて、前記照射手段が発する光の強度を制御する請求項１に記載の照明装置。
【請求項３】
前記照射手段が発する光を拡散または収束させるレンズ手段が設けてある請求項１または２に記載の照明装置。
【発明の詳細な説明】
【技術分野】
【０００１】
本発明は、種々の溶媒を収容可能な容器付きの照明装置に関する。より詳細には、本発明は、光の演出によって使用者に美観を感じさせると共に、種々の溶媒を収容可能な容器付きの照明装置に関する。
【背景技術】
【０００２】
従来この種の照明装置として、本体の内部に対して光線を上方に送出する光源を備え、この本体の上部に被照明体を載置状態で支持する開口部が形成されている照明装置があった（例えば、特許文献１参照。）。
【０００３】
特許文献１の照明装置では、本体の内部において光源と開口部との中間位置に照光体を配置するとともに、この照光体が、レンズ部と、このレンズ部より光線の透過率が低い調光部材とで構成されている。この照明装置の被照明体はカップ状に成形され、カップ状の被照明体の内部には光線の透過を許容する透明のゲル状の芳香剤等が貯留可能になっている。そして、被照明体内のゲル状の芳香剤等が光線に照らされると、使用者はその光が醸し出す光景を楽しむことができるようになっている。
【０００４】
また、特許文献１の照明装置は、基本的に光源の種類によって、使用者が感じることができる光の色が決定されるものである。例えば、光源が赤色ＬＥＤであれば、使用者は赤色の光を感じることができるし、光源が青色ＬＥＤであれば、使用者は青色の光を感じることができるといった具合である。そのようなため、特許文献１の照明装置において使用者が複数の色を楽しもうとすると、発光色が異なる複数の光源を備えておく必要がある。事実、特許文献１の照明装置では、光の三原色となる３つの発光ダイオード（赤色ＬＥＤ、青色ＬＥＤ、および緑色ＬＥＤ）を備えており、三色を調光することによって任意の色相を発現している。
【０００５】
【特許文献１】特開２００２−２８９００５号公報
【発明の開示】
【発明が解決しようとする課題】
【０００６】
ところが、上記特許文献１の照明装置では、三原色の調光により種々の色を作り出しているものの、マイコン制御によって予め設定された調光処理しか行っていないため、特許文献１の照明装置の使用者は、徐々に光の変化を単調に感じるようになり、飽き易くなるという問題があった。
【０００７】
本発明は上記の問題点に鑑みてなされたものであり、その目的は、安価な構成でありながら、使用者に飽きを感じさせないように、種々のバリエーションで光の演出をすることが可能な照明装置を提供する点にある。
【課題を解決するための手段】
【０００８】
本発明に係る照明装置の特徴構成は、着色溶媒を交換可能に収容する収容部と、前記着色溶媒を照射する照射手段と、前記照射手段を制御する制御手段と、前記照射手段と前記制御手段とを格納し、その上に前記収容部を着脱可能に載置するベース部とを備え、前記収容部の天井下面に前記照射手段が発する光を反射させる反射手段が設けてあり、前記制御手段は前記照射手段の照射パターンを決定する少なくとも１つの制御プログラムを有する点にある。
【０００９】
本構成の照明装置であれば、照射手段が収容部の中の着色溶媒を照射するように構成してあるので、照射される光の色と着色溶媒の色とが混合した結果、人が美観を感じる微妙な中間色の光が発現し、使用者を飽きさせずに照明装置による光の演出を長く楽しませることができる。そして、本構成の照明装置では、着色溶媒を収容する収容部はベース部の上に載置されるので、昼間は太陽光を受け易く、夜間は照射手段による下方からの光を効率的に受け易いものとなっている。従って、光の演出のバリエーションが広がり、使用者に対して照明装置を飽きのこない魅力的なものにすることができる。
【００１０】
また、この着色溶媒は交換可能であるので、別の色の着色溶媒に交換することにより、使用する光源が単色の場合であっても、発現する色のバリエーションを容易に増やすことができる。このため、使用者は様々な光の変化を楽しむことができるようになり、飽きがきにくくなる。また、照射手段として単色の光源を用いることができるので、製造コストを抑えることができる。
【００１１】
また、本構成の照明装置は、収容部の天井下面に照射手段が発する光を反射させる反射手段が設けてあるので、照射手段からの光の強度が小さい場合であっても、収容部の内部を効率的に、より明るく見せることが可能である。
【００１２】
さらに、本構成の照射装置は、制御手段が照射手段の照射パターンを決定する少なくとも１つの制御プログラムを有しているので、照射手段から発せられる光の色相だけでなく光の強度も自在に変更することが可能となる。これにより、例えば、照明装置の光量を経時的に変化させたり、光の強度を周期的に変化させたりすること等が可能となって、光の演出のバリエーションがさらに増えることになるので、使用者に対して照明装置をさらに飽きのこない魅力的なものにすることができる。
【００１３】
本発明の照明装置では、周囲の明るさを検知して前記制御手段に明度信号を送信する光センサ手段を備え、前記制御手段は、前記光センサ手段からの前記明度信号に応じて、前記照射手段が発する光の強度を制御することも可能である。
【００１４】
本構成の照明装置であれば、光センサ手段からの明度信号を制御手段が受信し、例えば、周囲が明るいと判断したときには光の照射を停止し、周囲が暗くなったと判断すると光の照射を行うように照射手段を制御することもできるので、照明装置の消費電力を節約することができる。また、このような制御において、夜間と昼間とでは照明装置の見え方が異なるので、使用者にとってさらに飽きのこないものにすることができる。
【００１５】
本発明の照明装置では、前記照射手段が発する光を拡散または収束させるレンズ手段を設けることも可能である。
【００１６】
本構成の照明装置であれば、レンズ手段によって、着色溶媒に照射する光を全体的に分散させたり、局所的に集めて明るくしたりすることができるので、光の演出のバリエーションをさらに増やすことができ、使用者にとってさらに飽きのこないものにすることができる。
【発明を実施するための最良の形態】
【００１７】
以下、本発明の実施の形態を図面に基づいて説明する。なお、本発明は以下の実施の形態および図面に記載される構成に限定されるものではない。
【００１８】
＜第１実施形態＞
図１は、本発明の第１実施形態による照明装置１００を概略的に示す構成図である。照明装置１００は、収容部１、照射手段２、制御手段３、およびベース部４を備えている。以下、各構成要素について詳細に説明する。
【００１９】
収容部１は、透明または半透明の樹脂容器あるいはガラス容器とすることができる。この収容部１には任意の着色溶媒５が収容されている。そして、この着色溶媒５を交換することが可能なように、収容部１の上面は、例えば、開閉可能なキャップ６になっている。また、収容部１の下部にドレイン（図示せず）を設けて、着色溶媒５を抜出し可能にすることも可能である。着色溶媒５は、透明な着色材料であれば、液体、固体、ゲル状体を問わず、任意の物質を採用することができる。また、着色溶媒５として、芳香剤、消臭剤、殺虫剤等を使用することも有効である。この場合、照明装置としての機能を有しながら別の付加価値をもたせることもできる。
【００２０】
収容部１の天井下面（図１では、キャップ６の下面）には、照射手段２が発する光を反射させる反射手段７が設けられている。反射手段７は、例えば、天井下面への金属の真空蒸着や、天井下面に金属箔を直接貼り付けることによって形成することができる。このような反射手段７を設けることによって、着色溶媒５を透過した光が反射手段７で反射されて再び着色溶媒５の内部に戻るようになる。このため、照射手段２からの光の強度が小さい場合であっても、収容部１の内部を効率的に、より明るく見せることが可能となる。
【００２１】
照射手段２は、収容部１に収容された着色溶媒５を照射するものである。また、照射手段２の光源は、有色または白色の光を発生させる任意のものを採用することができる。例えば、赤色ＬＥＤ、青色ＬＥＤ、緑色ＬＥＤ等の単色ＬＥＤ、単色ＬＥＤを組み合わせた白色ＬＥＤ、またはフルカラーＬＥＤ等を採用することができる。ここで、照射手段２の光源が白色の場合、この照明装置１００から発生する光の色は着色溶媒５の色に支配されることとなる。一方、光源が有色の場合では、照射手段２からの光の色と着色溶媒５の色とが混合され、微妙な中間色が醸し出される。そして、着色溶媒５を交換すれば、照明装置１００が発現することができる光のバリエーションを容易に増やすことができる。このように本発明では、使用者は様々な光の変化を楽しむことができるので、従来の照明装置のように使用者は光の変化を単調に感じて飽き易くなるという問題が大きく改善されることになる。
【００２２】
なお、本実施形態の照明装置１００は、照射手段２として、従来のように複数の光源を組み合わせたものを用いてもよいが、上述のように、収容部１中の着色溶媒５を交換すれば単色の光源であっても使用者は多くの色のバリエーションを楽しむことができるので、この点においてコストパフォーマンスは高い。そして、実際に単色の光源を採用すれば、照明装置１００自体の製造コストを抑えることができる。
【００２３】
制御手段３は、照射手段２の制御を行っている。具体的には、制御手段３は、照射手段２の照射パターンを決定する少なくとも１つの制御プログラムを有しており、光の強度や発光時間を変化させるなど様々な照射パターンを実現することができる。
【００２４】
照射パターンの幾つかの例を、図２の（ａ）〜（ｄ）に示す。なお、これらのグラフにおいて、横軸は時間（Ｔ）を示し、縦軸は光の強度（Ｉ）を示す。
【００２５】
図２（ａ）は、一定強度を維持し続ける典型的な照射パターンである。
図２（ｂ）は、一定時間毎に光の強度に強弱を付けて反復を行う照射パターンである。この照射パターンでは、照明装置１００を点滅させるように見せる効果がある。
図２（ｃ）は、時間の経過に伴って光の強度を減少させる照射パターンである。この照射パターンでは、例えば、着色溶媒５として芳香剤や消臭剤を用いる場合において、薬剤の効能が切れる時間に光の強度が０となるように設定しておけば、薬剤のインジケータとしての機能を持たせることができる。
図２（ｄ）は、一定時間になると、光の強度を０にする照射パターンである。この照射パターンでは、照明装置１００を一種のタイマーとして使用することができる。
【００２６】
このように照射パターンを様々に変更することにより、使用者は、光のバリエーションがさらに増えるため、照明装置１００が醸し出す光の演出効果を長く楽しむことができるという本発明の主たる効果の他に、上述したようなインジケータやタイマーとしての補助的な機能が得られるという効果もある。
【００２７】
なお、制御手段３としては、プログラムを格納するためのメモリ機能を備えたＩＣ等を採用することができる。
【００２８】
ベース部４は、照射手段２と制御手段３とを格納している。具体的には、図１に示すように、基板８の上に照射手段２と制御手段３とが備えられ、ベース部４は基板８全体を格納する構成となっている。また、ベース部４は、照射手段２および制御手段３の電源として乾電池９を格納する。なお、乾電池９の代わりに外部から電力供給を受けるためのＡＣケーブルを備えた構成としてもよい。
【００２９】
ベース部４の上には収容部１を着脱可能に載置することができる。これにより、着色溶媒５を交換する場合には、収容部１ごと容易に交換することができる。また、このようなベース部４と収容部１との位置関係により、昼間においては収容部１中の着色溶媒５は太陽光を受け易く、夜間は照射手段による下方からの光を効率的に受け易いものとなっている。従って、光の演出のバリエーションが広がり、使用者に対して照明装置を飽きのこない魅力的なものにすることができる。またベース部８の外面には、照明装置１００の各種スイッチ（例えば、電源スイッチや照射パターン切替スイッチ）を備えた操作パネル１０を設けることができ、良好な操作性を実現することができる。
【００３０】
照明装置１００は、光センサ手段１１を備えることができる。この光センサ手段１１は、照明装置１００の周囲の明るさを検知して制御手段３に明度信号を送信することができるように構成されている。そして、制御手段３は、光センサ手段１１からの明度信号に応じて、照射手段２が発する光の強度を制御することが可能となる。これにより、制御手段３が、例えば、周囲が明るいと判断したときには光の照射を停止し、周囲が暗くなったと判断すると光の照射を行うように照射手段２を制御することができるので、照明装置１００の消費電力を節約することが可能となる。
【００３１】
光センサ手段１１としては、例えば、赤外線センサ、光電素子、光電子増倍管等を採用することができる。
【００３２】
照明装置１００には、照射手段２が発する光を拡散または収束させるレンズ手段１２を設けることも可能である。レンズ手段１２は、凹レンズであってもよいし凸レンズであってもよい。例えば、凹レンズを用いると、着色溶媒５に照射する光を全体的に分散させることができ、凸レンズであれば、光を局所的に集めて着色溶媒５の一部を明るくしたりすることができる。このため、光のバリエーションをさらに増やすことができる。
【００３３】
レンズ手段１２を設ける場所は、照射手段２から発せられる光の経路上であれば任意の場所とすることができる。
【００３４】
＜別実施形態＞
本発明の照明装置の別実施形態として、以下に列挙するような構成とすることも可能である。
（１）ベース部のハウジングを、透明または半透明の樹脂ケースとすることができる。これにより、照明装置自身の意匠性を向上させることができる。
（２）照明装置の電源の切り忘れを防止するオフタイマーを備えることができる。これにより、省エネルギー化に貢献することができると共に、過熱等が防止されて安全性も向上する。
（３）収容部１の中に着色溶媒５を入れる場合では、それと共に花などの植物や熱帯魚の模型等を入れることも可能である。これにより、照明装置の娯楽性を一層高めることができる。
（４）照射手段２と制御手段３とを備える基板８のシルク印刷を白色で行うことが可能である。これにより、戻り光を乱反射させることができるので、照明装置の明るさを向上させることができる。
【図面の簡単な説明】
【００３５】
【図１】本発明の第１実施形態の照明装置を概略的に示す構成図
【図２】照射手段の照射パターンの例を示すグラフ
【符号の説明】
【００３６】
１  収容部
２  照射手段
３  制御手段
４  ベース部
５  着色溶媒
６  キャップ
７  反射手段
８  基板
９  乾電池
１０  操作パネル
１１  光センサ手段
１２  レンズ手段
１００  照明装置
【図１】
2006093013.tif 000003
【図２】
2006093013.tif 000004